(57)【要約】      （修正有）【課題】照明としても使用可能で、車両から供給された電気を蓄電できる三角表示板を提供する。【解決手段】車両用三角表示板は、三角形状で且つ中空の本体上に、連続してランプが配列されている。さらに、各ランプは、本体背後の電源及び制御装置に接続されて、三角表示板は車両の後部トランクのカバーに固定される。さらに、車両の電源が本体の電源及び制御装置に接続される。したがって、車両のエンジンが発動されて走行している時は、三角表示板の電源及び制御装置に電気が供給されて、電源及び制御装置に蓄電されて使用に備える。三角表示板が設置されている後部トランクを開けると、本体上のランプが全て点灯されて照明として使用できる。【選択図】図４
0003170813.tif 000002
【実用新案登録請求の範囲】
【請求項１】
三角形状で且つ中空の本体上に、連続してランプが配列されていて、さらに、各ランプは、本体背後の電源及び制御装置に接続されて、前記三角表示板を車両の後部トランクのカバーに固定され、車両の電源が本体の電源及び制御装置に接続されていることで、車両のエンジンが発動されて走行している時は、三角表示板の電源及び制御装置に電気が供給されて、電源及び制御装置に蓄電されて使用に備え、電源及び制御装置が充電完了後は、自動的に充電が終了して、充電のし過ぎにより電源及び制御装置が破損するのを回避し、三角表示板が設置されている後部トランクを開けると、三角表示板自体が電源を有していることから、本体上のランプを一度に全部、または、点滅、移動式に点灯させることが可能で、また、三角表示板全体を車外に取り出して、照明や車両の位置標示として使用したり、車の前方、車の後方に注意を促したりできることにより、安全及び実用的な効果を達成することを特徴とする車両用三角表示板。
【考案の詳細な説明】
【技術分野】
【０００１】
本考案は、車両の三角表示板の構造に関し、特に、車両を利用して三角表示板の電源及び制御装置に電源を供給及び蓄電して、三角表示板のランプを発光させることで照明として使用したり、点滅させたりすると同時に、これを取り出して、当該車両が停止している位置を標示したり、車の前方や車の後方に注意を促す作用をもたらすことで、安全及び実用の目的を達成する三角表示板に関する。
【背景技術】
【０００２】
一般に、車内に設置される三角表示板は、ほとんどが三角形状で且つ中空の本体Ａである。そして、本体Ａには、反射作用を有する表面Ｂ（図１に示したとおり）を有して、車両を路上（交通事故発生時）や路肩（故障時）に臨時停車する場合、車の後方数ｍの距離に設置して、前記三角表示板が後続車のヘッドライトの光を受けると反射作用が生じて、注意を促す目的を達成する。しかしながら、このような反射光式三角表示板は「受動式」の警告作用であるため、その他の車両の光源が照射されないと効果が発揮されない。つまり、漆黒の闇の中、例えば、郊外や山中や、濃霧、雨中といった悪天候下においては機能を発揮しない。このため、三角表示板に乾電池が内蔵されて、三角表示板にランプが連結されて、スイッチがＯＮになると、三角形に配列された多数のランプが点灯するタイプのものが提供された。このタイプでは、「能動式」で注意を促すことが可能であるが、前記三角表示板は、常時使用されるわけではなく、全く使用しないという状況も発生する。この場合、前記三角表示板の電池の残量があるかどうかをチェックするのを忘れると、忘れた頃に三角表示板を見てその存在を思い出したり、必要時に使用しようと思った場合に、その電池が切れていることを発見して使用できないという事態が発生する。また、車両が長期間高温下にあって、三角表示板が腐食して機能しなかったりして、所定の機能が発揮できずに、役に立たないまま放置されることになる。
【考案の概要】
【考案が解決しようとする課題】
【０００３】
したがって、本考案は、従来の三角表示板の問題を解決する三角表示板の構造を提供することを課題とする。
【課題を解決するための手段】
【０００４】
上記課題を解決するために、本考案は、従来の三角表示板の問題を解決する三角表示板の構造を提供することを目的とする。
【０００５】
上記目的を達成するために、本考案の車両用三角表示板は、三角形状で且つ中空の本体上に、連続してランプが配列されている。さらに、各ランプは、本体背後の電源及び制御装置に接続されて、前記三角表示板は車両の後部トランクのカバーに固定される。さらに、車両の電源が本体の電源及び制御装置に接続される。したがって、車両のエンジンが発動されて走行している時は、三角表示板の電源及び制御装置に電気が供給されて、電源及び制御装置に蓄電されて使用に備える。三角表示板が設置されている後部トランクを開けると、三角表示板自体が電源を有していることから、本体上のランプが全て点灯されて照明として使用できると同時に、車両が停車している位置を標示して、車の前方や車の後方に注意を促す作用を有して、安全及び実用の効果を達成する。
【０００６】
上記目的を達成するために、本考案の車両用三角表示板は、三角形状で且つ中空の本体上に、連続してランプが配列されている。さらに、各ランプは、本体背後の電源及び制御装置に接続されて、車両の後部トランクのカバーに固定されている前記三角表示板は、三角表示板が設置されている後部トランクを開けると、三角表示板自体が電源を有している上に、電源及び制御装置内部の回路の設計により、多数のランプが一定の時間を経た後に分段式に点滅を繰り返す。したがって、車両が停車している位置を標示して、車の前方や車の後方に注意を促す作用を有して、安全及び実用の効果を達成する。
【０００７】
上記目的を達成するために、本考案の車両用三角表示板は、三角形状で且つ中空の本体上に、連続してランプが配列されている。さらに、各ランプは、本体背後の電源及び制御装置に接続されて、車両の後部トランクのカバーに固定されている前記三角表示板は、三角表示板が設置されている後部トランクを開けると、三角表示板自体が電源を有している上に、電源及び制御装置内部の回路の設計により、多数のランプが移動式に点灯して、車両が停車している位置を標示して、車の前方や車の後方に注意を促す作用を有して、安全及び実用の効果を達成する。
【０００８】
本考案の車両用三角表示板は、三角表示板の電源及び制御装置が充電完了後に自動的に車両からの充電が終了されて、電源及び制御装置が充電のし過ぎにより破損することがない。
【０００９】
本考案の車両用三角表示板は、車外に取り出して使用すると、車両の停車した位置を標示したり、車の前方や車の後方に注意を促す作用を有する。
【００１０】
本考案の車両用三角表示板は、車外に取り出して使用すると、照明としての使用が可能である。
【考案の効果】
【００１１】
本考案の車両の三角表示板は、車両を利用して三角表示板の電源及び制御装置に電源を供給及び蓄電して、三角表示板のランプを発光させることで照明として使用したり、点滅させたりすると同時に、これを取り出して、当該車両が停止している位置を標示したり、車の前方や車の後方に注意を促す作用をもたらすことで、安全及び実用の目的を達成する。
【図面の簡単な説明】
【００１２】
【図１】従来の技術を示した図である。
【図２】本考案を示した図（一）である。
【図３】本考案を示した図（二）である。
【図４】本考案の設置位置を示した図である。
【図５】本考案の実施形態を示した図（一）である。
【図６】本考案の実施形態を示した図（二）である。
【図７】本考案の実施形態を示した図（三）である。
【図８】本考案を取り出した状態を示した図である。
【図９】本考案の実施形態を示した図（四）である。
【図１０】本考案の実施形態を示した図（五）である。
【考案を実施するための形態】
【００１３】
先ず、図２、図３を参照しながら説明する。本考案の車両用三角表示板の構造は、三角形状で且つ中空の本体１上に連続してランプ２が設置される。さらに、各ランプ２は、本体１背後の電源及び制御装置３に接続されて、前記三角表示板は車両４の後部トランク４１に固定される。さらに、車両の電源４２が本体１の電源及び制御装置３に接続される（図４に示したとおり）。したがって、車両４のエンジンが発動されて走行している時は、三角表示板の電源及び制御装置３に充電されて、電源及び制御装置３に蓄電されて使用に備える。電源及び制御装置３が充電完了後は、自動的に車両４からの充電が終了されることで、電源及び制御装置１が充電のし過ぎにより破損されることがない。
【００１４】
三角表示板が設置されている位置（後部トランク４１）を開けると、三角表示板がすでに充電されていることで、本体１上のランプ２が全て点灯されて照明として使用できる（図５に示したとおり）。また、車両の停車位置を標示したり、後続車の注意を促す作用を有する。さらに、電源及び制御装置３内部の回路設計により、多数のランプ２を一定の時間後に分段式で点滅させたり（図６に示したとおり）、移動式に点灯させたり（図７に示したとおり）できる。このように、車両の停止位置を標示したり、車の前方や車の後方に注意を促したりする作用を有して、安全及び実用的な効果を達成する。
【００１５】
当然、三角表示板を車外に取り出して（図８に示したとおり）、適当な位置に設置することで、車両の検査、修理時の照明として運用できる（図９に示したとおり）。また、本体１上のランプ２を、一度に全部、または、点滅、移動式に点灯する状態に設定することで、車両の停車位置を標示したり、車の前方、車の後方に注意を促す作用を有して（図１０に示したとおり）、同様に、安全及び実用的な効果を達成する。
【符号の説明】
【００１６】
１      本体
２      ランプ
３      電源及び制御装置
４      車両
４１    後部トランク
４２      電源
Ａ      本体
Ｂ      表面
【図１】
0003170813.tif 000003
【図２】
0003170813.tif 000004
【図３】
0003170813.tif 000005
【図４】
0003170813.tif 000006
【図５】
0003170813.tif 000007
【図６】
0003170813.tif 000008
【図７】
0003170813.tif 000009
【図８】
0003170813.tif 000010
【図９】
0003170813.tif 000011
【図１０】
0003170813.tif 000012